(57)【要約】  【課題】  フレキシブル配線基板上の駆動素子で発生した熱を効果的に逃がすことができる記録装置を提供する。    【解決手段】  記録ヘッドを駆動するＩＣチップ３５〜３８から発生する熱を空気中に放熱するヒートシンク２７をヘッドホルダ１８の背壁１８ｂと回路基板２６の間に延設したので、ヒートシンク２７を従来のものに比べて、面積を広くでき、放熱効果を高めることができる。また、ヒートシンク２７の回路基板２６への対向面には、回路基板２６に半田付けされている電子部品の足等を避けるための凹部が形成されている。また、ヒートシンク２７は、ヘッドホルダ１８の背壁１８ｂ及び回路基板２６と各々所定間隔離間しているので、ヒートシンク２７からの放熱が妨げられることがない。  【選択図】  図７
2004314608.tif 000002
【特許請求の範囲】
【請求項１】
複数の記録素子を有し、記録媒体に対し記録を行う記録ヘッドと、
当該記録ヘッドを保持するヘッドホルダと、
当該ヘッドホルダの外側面に沿って設けられ、可撓性を有する帯状絶縁体上に複数の導線及び前記記録ヘッドを駆動する駆動素子を備えたフレキシブル配線基板と、
当該駆動素子で発生した熱を外部へ放出するヒートシンクと
を備え、
当該ヒートシンクは、前記フレキシブル配線基板と前記ヘッドホルダとの間に配置されていることを特徴とする記録装置。
【請求項２】
前記ヒートシンクは前記ヘッドホルダの外側面から所定距離離間して設けられていることを特徴とする請求項１に記載の記録装置。
【請求項３】
前記ヘッドホルダは、前記記録ヘッドを保持する第１の壁と、当該第１の壁の端部から立ち上げられた第２の壁とから構成されて側面視ほぼＬ字型に形成され、
前記ヘッドホルダの第２の壁の外側面には、前記フレキシブル配線基板が接続される中継基板が配設され、
前記ヒートシンクは、前記第１の壁の端部と前記第２の壁との接続部近傍から前記中継基板とヘッドホルダとの間まで延設されていることを特徴とする請求項１又は２に記載の記録装置。
【請求項４】
前記ヒートシンクと前記中継基板との間には間隙が設けられていることを特徴とする請求項３に記載の記録装置。
【請求項５】
前記ヘッドホルダが装着され、前記記録媒体に沿って移動可能なキャリッジを備え、
前記ヒートシンクは、その平面が当該キャリッジの移動方向に平行になるように配設されていることを特徴とする請求項１乃至４の何れかに記載の記録装置。
【請求項６】
前記フレキシブル配線基板を保護するために前記ヘッドホルダに設けられたカバーと、
前記駆動素子と前記カバーとの間に設けられた弾性部材と
を備え、
当該弾性部材の押圧力により、前記駆動素子は前記ヒートシンク側に押圧されていることを特徴とする請求項１乃至５の何れかに記載の記録装置。
【請求項７】
前記第２の壁は前記第１の壁から重力方向と反対方向に延設され、当該第２の壁に沿って、前記ヒートシンクも前記第１の壁の端部と前記第２の壁との接続部近傍から重力方向と反対方向に延設されていることを特徴とする請求項３又は４に記載の記録装置。
【請求項８】
前記ヒートシンクの前記駆動素子に対向する部分の近傍は、前記ヘッドホルダに非接触であることを特徴とする請求項１乃至７の何れかに記載の記録装置。
【請求項９】
前記ヘッドホルダには、前記第２の壁の左右から各々直交して立ち上がった一対の側壁が設けられ、
前記第２の壁の外側面と前記ヒートシンクとの間の空間を外部と流通させるための切欠部が、前記ヒートシンクの近傍の前記左右一対の側壁に各々設けられていることを特徴とする請求項３乃至８の何れかに記載の記録装置。
【発明の詳細な説明】
【技術分野】
【０００１】
本発明は、記録装置に関し、詳細には、記録媒体に対し記録を行う記録ヘッドと当該記録ヘッドを駆動する駆動素子と当該駆動素子からの信号を記録ヘッドに伝えるフレキシブル配線基板を備えた記録装置に関する。
【背景技術】
【０００２】
従来、紙等の記録媒体に記録を行う記録装置として、例えば、インクジェットヘッドのノズルからインクを記録媒体に噴射して印刷記録を行うインクジェット記録装置が知られている。この種のインクジェット記録装置では、記録領域に沿って往復移動可能なキャリッジを設け、このキャリッジに装着するヘッドホルダに、インクジェットヘッド、これに駆動信号を供給する回路基板及びその両者を接続するフレキシブル配線基板を配置している（例えば、特許文献１参照）。
【０００３】
近年、ノズル数が増加し、かつ高密度になるのにともない、駆動信号を生成するドライバＩＣとインクジェットヘッドを結ぶ配線も細線化しかつ高密度になって、配線上の信号がノイズの影響を受けやすくなり、また回路基板とフレキシブル配線基板との配線の接合箇所が増大するようになった。このため、ドライバＩＣをインクジェットヘッドとをできるだけ接近させるように、フレキシブル配線基板上にドライバＩＣを搭載するようになった（例えば、特許文献２参照）。
【０００４】
一方、ノズル数の増加にともない、ドライバＩＣの発熱量も多くなって、この熱を放出するために、ドライバＩＣをフレキシブル配線基板を覆う蓋板に接触させ、蓋板にヒートシンク機能をもたせている（上記特許文献２参照）。
【特許文献１】特開平１１−１０８５０号公報
【特許文献２】特開２００２−２４０３０６号公報
【発明の開示】
【発明が解決しようとする課題】
【０００５】
さらにノズル数を増加しようとすると、ドライバＩＣの発熱量もさらに多くなり、ヒートシンクを大型化しなければならない。一方、回路基板上には、電圧降下防止のためのコンデンサ、本体側の制御部と接続するためのコネクタ等が必要であり、ノズル数の増加にともない、これらコンデンサ、コネクタも大型化する。回路基板は、フレキシブル配線基板の延長上にあるため、ヒートシンクやコンデンサ等が大型化すると、相互に干渉してしまう。ヘッドホルダを小型化しようとすると、ヒートシンクの大きさが制限され、ドライバＩＣからの熱を効果的に外部へ放出できないという問題点があった。ドライバＩＣからの放熱が十分にできないと、ドライバＩＣの動作が不安定になったり、ドライバＩＣが破損するという問題点があった。
【０００６】
本発明は、上記課題を解決するためになされたものであり、フレキシブル配線基板上に設けられ、インクジェットヘッドの駆動素子で発生した熱を効果的に逃がすことができる記録装置を提供することを目的とする。  
【課題を解決するための手段】
【０００７】
上記目的を達成するための請求項１に係る発明の記録装置は、複数の記録素子を有し、記録媒体に対し記録を行う記録ヘッドと、当該記録ヘッドを保持するヘッドホルダと、当該ヘッドホルダの外側面に沿って設けられ、可撓性を有する帯状絶縁体上に複数の導線及び前記記録ヘッドを駆動する駆動素子を備えたフレキシブル配線基板と、当該駆動素子で発生した熱を外部へ放出するヒートシンクとを備え、当該ヒートシンクは、前記フレキシブル配線基板と前記ヘッドホルダとの間に配置されていることを特徴とする。
【０００８】
この構成の記録装置では、ヘッドホルダの外側面に沿って、記録ヘッドを駆動する駆動素子を有したフレキシブル配線基板が設けられ、フレキシブル配線基板とヘッドホルダとの間にヒートシンクが設けられているので、ヒートシンクの表面積を大きくすることができ、駆動素子で発生した熱を外部へ放出することができ、駆動素子の急激な温度上昇を抑えることができる。
【０００９】
また、請求項２に係る発明の記録装置では、請求項１に記載の記録装置の構成に加えて、前記ヒートシンクは前記ヘッドホルダの外側面から所定距離離間して設けられていることを特徴とする。
【００１０】
この構成の記録装置では、請求項１に記載の発明の作用に加えて、ヒートシンクとヘッドホルダとの間には所定距離の隙間が設けられているので、ヒートシンクとヘッドホルダとの隙間に、駆動素子で発生した熱を放出することができる。
【００１１】
また、請求項３に係る発明の記録装置では、請求項１又は２に記載の記録装置の構成に加えて、前記ヘッドホルダは、前記記録ヘッドを保持する第１の壁と、当該第１の壁の端部から立ち上げられた第２の壁とから構成されて側面視ほぼＬ字型に形成され、前記ヘッドホルダの第２の壁の外側面には、前記フレキシブル配線基板が接続される中継基板が配設され、前記ヒートシンクは、前記第１の壁の端部と前記第２の壁との接続部近傍から前記中継基板とヘッドホルダとの間まで延設されていることを特徴とする。
【００１２】
この構成の記録装置では、請求項１又は２に記載の発明の作用に加えて、ヒートシンクは、第１の壁の端部と第２の壁との接続部近傍から中継基板とヘッドホルダとの間まで延接されているので、ヒートシンクの表面積を大きくすることができ、外部への放熱効果を高めることができる。
【００１３】
また、請求項４に係る発明の記録装置は、請求項３に記載の記録装置の構成に加えて、前記ヒートシンクと前記中継基板との間には間隙が設けられていることを特徴とする。
【００１４】
この構成の記録装置では、請求項３に記載の発明の作用に加えて、ヒートシンクと中継基板との間には所定距離の間隙が設けられているので、ヒートシンク中継基板側の側面から効率よく放熱することが出来る。
【００１５】
また、請求項５に係る発明の記録装置では、請求項１乃至４の何れかに記載の記録装置の構成に加えて、前記ヘッドホルダが装着され、前記記録媒体に沿って移動可能なキャリッジを備え、前記ヒートシンクは、その平面が当該キャリッジの移動方向に平行になるように配設されていることを特徴とする。
【００１６】
この構成の記録装置では、請求項１乃至４の何れかに記載の発明の作用に加えて、記録媒体に沿って移動可能なキャリッジを備えており、ヒートシンクは、その平面がキャリッジの移動方向と平行になるように配設されているので、キャリッジの駆動時は、ヒートシンクの表面の近傍を空気が流動し、ヒートシンクの外部への放熱効果を高めることが出来る。
【００１７】
また、請求項６に係る発明の記録装置では、請求項１乃至５の何れかに記載の記録装置の構成に加えて、前記フレキシブル配線基板を保護するために前記ヘッドホルダに設けられたカバーと、前記駆動素子と前記カバーとの間に設けられた弾性部材とを備え、当該弾性部材の押圧力により、前記駆動素子は前記ヒートシンク側に押圧されていることを特徴とする。
【００１８】
この構成の記録装置では、請求項１乃至５の何れかに記載の発明の作用に加えて、フレキシブル配線基板を保護するためにヘッドホルダに設けられたカバーと、駆動素子との間には弾性部材が設けられており、弾性部材の押圧により駆動素子はヒートシンク側に押圧されているので、駆動素子とヒートシンクとを密着させることができる。
【００１９】
また、請求項７に係る発明の記録装置では、請求項３又は４に記載の記録装置の構成に加えて、前記第２の壁は前記第１の壁から重力方向と反対方向に延設され、当該第２の壁に沿って、前記ヒートシンクも前記第１の壁の端部と前記第２の壁との接続部近傍から重力方向と反対方向に延設されていることを特徴とする。
【００２０】
この構成の記録装置では、請求項３又は４に記載の発明の作用に加えて、第２の壁は第１の壁より重力方向と反対方向に延設され、ヒートシンクも第１の壁の端部と第２の壁との接続部近傍から重力方向と反対方向に延設されているので、ヒートシンクの表面はキャリッジの駆動方向と平行となり、駆動時にヒートシンクの表面近傍を空気が流動し、ヒートシンクの外部への放熱効果を高めることができる。
【００２１】
また、請求項８に係る発明の記録装置では、請求項１乃至７の何れかに記載の記録装置の構成に加えて、前記ヒートシンクの前記駆動素子に対向する部分の近傍は、前記ヘッドホルダに非接触であることを特徴とする。
【００２２】
この構成の記録装置では、請求項１乃至７の何れかに記載の発明の作用に加えて、ヒートシンクの駆動素子に対向する部分の近傍はヘッドホルダに非接触であるので、ヒートシンクの熱がヘッドホルダに伝わらない。
【００２３】
また、請求項９に係る発明の記録装置では、請求項３乃至８の何れかに記載の記録装置の構成に加えて、前記ヘッドホルダには、前記第２の壁の左右から各々直交して立ち上がった一対の側壁が設けられ、前記第２の壁の外側面と前記ヒートシンクとの間の空間を外部と流通させるための切欠部が、前記ヒートシンクの近傍の前記左右一対の側壁に各々設けられていることを特徴とする。
【００２４】
この構成の記録装置では、請求項３乃至８の何れかに記載の発明の作用に加えて、第２の壁の外側面とヒートシンクとの間の空間内の空気が左右一対の側壁に設けられた切欠部を介して外部と流通し易くなり、この空間内の温度上昇が抑制される。
【発明の効果】
【００２５】
以上、詳述したとおり、請求項１に係る発明の記録装置では、ヘッドホルダの外側面に沿って、記録ヘッドを駆動する駆動素子を有したフレキシブル配線基板が設けられ、フレキシブル配線基板とヘッドホルダとの間にヒートシンクが設けられているので、ヒートシンクの表面積及び体積を大きくすることができるので、放熱効果を高め、駆動素子の急激な温度を抑えることができるため、安定した駆動を行うことができる。
【００２６】
また、請求項２に係る発明の記録装置では、請求項１に記載の発明の効果に加えて、ヒートシンクとヘッドホルダとの間には所定距離の隙間が設けられており、その隙間に駆動素子で発生した熱を放出することができるので、安定した駆動を行うことができる。
【００２７】
また、請求項３に係る発明の記録装置では、請求項１又は２に記載の発明の効果に加えて、ヒートシンクは、第１の壁の端部と第２の壁との接続部近傍から中継基板とヘッドホルダとの間まで延接されているので、ヒートシンクの表面積を大きくすることができ、外部への放熱効果を高めることができる。従って、記録装置は、安定した駆動を行うことができる。
【００２８】
また、請求項４に係る発明の記録装置では、請求項３に記載の発明の効果に加えて、ヒートシンクと中継基板との間には所定距離の間隙が設けられているので、駆動素子で発生した熱をヒートシンク中継基板側の側面から効率よく放出することができるので、記録装置は、安定した駆動を行うことができる。
【００２９】
また、請求項５に係る発明の記録装置では、請求項１乃至４の何れかに記載の発明の効果に加えて、記録媒体に沿って移動可能なキャリッジを備えており、ヒートシンクは、その平面がキャリッジの移動方向と平行になるように配設されているので、キャリッジの駆動時には、ヒートシンクの表面の近傍を空気が流動し、ヒートシンクの外部への放熱効果を高めることができる。
【００３０】
また、請求項６に係る発明の記録装置では、請求項１乃至５の何れかに記載の発明の効果に加えて、フレキシブル配線基板を保護するためにヘッドホルダに設けられたカバーと、駆動素子との間には弾性部材が設けられており、弾性部材の押圧により駆動素子はヒートシンク側に押圧され、駆動素子とヒートシンクとは密着するので、駆動素子に発生した熱をヒートシンクに効率よく伝え、外部に放出することができる。
【００３１】
また、請求項７に係る発明の記録装置では、請求項３又は４に記載の発明の効果に加えて、第２の壁は第１の壁より重力方向と反対方向に延設され、ヒートシンクも第１の壁の端部と第２の壁との接続部近傍から重力方向と反対方向に延設され、ヒートシンクの表面はキャリッジの駆動方向と平行となり、駆動時にはヒートシンクの表面の近傍空気が流動するので、高熱になったヒートシンクの外部への放熱効果を高めることができる。
【００３２】
また、請求項８に係る発明の記録装置では、請求項１乃至７の何れかに記載の発明の効果に加えて、ヒートシンクの駆動素子に対向する部分の近傍はヘッドホルダに非接触であり、高熱になったヒートシンクの熱がヘッドホルダに伝わらないようになっているので、駆動素子で発生した熱は、空気中にのみ放出することができる。
【００３３】
また、請求項９に係る発明の記録装置では、請求項３乃至８の何れかに記載の発明の効果に加えて、第２の壁の外側面とヒートシンクとでの間の空間内の空気が左右一対の側壁に設けられた切欠部を介して外部と流通易くなり、この空間内の温度上昇が抑制されるので、ヒートシンクの放熱効果を高めることができる。
【発明を実施するための最良の形態】
【００３４】
以下、本発明の記録装置の一実施の形態について図面に沿って説明する。まず、本発明の記録装置の一実施の形態であるインクジェットプリンタ１の内部構成について、図１を参照して説明する。図１は、インクジェットプリンタ１の内部構造を示す斜視図である。
【００３５】
図１に示すように、インクジェットプリンタ１の筐体２の内部には、記録媒体である記録用紙Ｐの幅方向に往復移動するキャリッジ８が設けられている。このキャリッジ８は、筐体２の長手方向に延設されたガイドロッド１１及びガイド部材１２に、各々スライド可能に支持されている。また、キャリッジ８は、筐体２の長手方向に張架された無端ベルト１３に固着され、ＣＲモータ１６により無端ベルト１３が駆動されると、キャリッジ８は、ガイドロッド１１に沿って往復移動される。
【００３６】
前記キャリッジ８には、印字等の記録を行うための記録ヘッド１９，２０，２１，２２（図２参照）を有する記録ヘッドユニット１７が取り付けられている。この記録ヘッド１９〜２２は、４色のインク（シアンｃ、マゼンタｍ、イエローｙ、ブラックｂ）を記録媒体である記録用紙Ｐ上に、インク液滴を噴射して記録動作を行うインクジェット方式であり、その記録用紙Ｐ側に、前記各色のインクを各々噴射するために、シアン、マゼンタ、イエロー、ブラックの噴射ノズル群７ａ〜７ｈ（図２参照）を備えている。
【００３７】
また、記録ヘッドユニット１７には、各噴射ノズル群７ａ〜７ｈに、各色のインクを供給する４つのインクカートリッジ１４ｙ，１４ｍ，１４ｃ，１４ｂが着脱可能に搭載されている。また、本実施の形態のインクジェットプリンタ１では、記録ヘッド１９〜２２と対向する位置には、記録用紙Ｐを搬送するプラテンローラ１０が設けられ、プラテンローラ１０は、図示外のラインフィードモータの駆動により回転駆動され、プラテンローラ１０の回転によって、記録用紙Ｐがキャリッジ８の移動方向と直交する用紙搬送方向に搬送されるようになっている。
【００３８】
次に、図２及び図３を参照して、記録ヘッドユニット１７の構造について説明する。図２は、記録ヘッドユニット１７を、その底部の背面側から見た斜視図であり、図３は、記録ヘッドユニット１７から樹脂カバー２４を取り去った状態を示す斜視図である。図２に示すように、記録ヘッドユニット１７は、樹脂製のヘッドホルダ１８に、プレート型圧電アクチュエータから構成された記録ヘッド１９〜２２と、当該記録ヘッド１９〜２２に外嵌され各噴射ノズル群７ａ〜７ｈに対応した長方形の開口部を備えた金属製のヘッドカバー２５と、回路基板２６と、ヒートシンク２７と、樹脂カバー２４等が組み付けられて構成されている。また、図３に示すように、記録ヘッド１９〜２２と回路基板２６とは、フレキシブル配線基板３１，３２，３３，３４により各々接続されている。そして、図２に示すように、これらのフレキシブル配線基板３１〜３４を保護するために樹脂カバー２４がフレキシブル配線基板３１〜３４を覆うように固定されている。また、ヘッドホルダ１８は、図１に示すキャリッジ８に保持され、キャリッジ８と共にガイドロッド１１に沿って往復運動を行うことができる。
【００３９】
次に、図４及び図５を参照して、ヘッドホルダ１８の構造を説明する。図４は、記録ヘッドユニット１７の分解斜視図であり、図５は、ヘッドホルダ１８の斜視図である。図４及び図５に示すように、ヘッドホルダ１８は、合成樹脂材料で一体成形され、底壁１８ａと背壁１８ｂと左側壁１８ｃと右側壁１８ｄと前壁１８ｅとから構成され、上面が開放された略箱型形状に形成されている。尚、背壁１８ｂ、左側壁１８ｃ、右側壁１８ｄ及び前壁１８ｅは、各々底壁１８ａから重力方向と反対方向に延設されている。
【００４０】
前述したインクカートリッジ１４ｙ，１４ｍ，１４ｃ，１４ｂは、ヘッドホルダ１８の上記開放部に着脱可能に搭載される。また、図４に示すように、ヘッドホルダ１８の底壁１８ａの外側面には、ヘッド保持部２８が凸出して形成されており、当該ヘッド保持部２８には、記録用紙Ｐに対して記録を行う４個の記録ヘッド１９〜２２が並置して接着固定され、その外側にヘッドカバー２５が外嵌されている。さらに、背壁１８ｂの外側面には、ヒートシンク２７が接着固定され、そのヒートシンク２７から所定間隔（一例として、３ｍｍ）離間して、記録ヘッド１９〜２２とキャリッジ８側の配線基板（図示外）との中継基板となる回路基板２６が固定されるようになっている。
【００４１】
また、図５に示すように、ヘッドホルダ１８の底壁１８ａには、インクカートリッジ１４ｙ，１４ｍ，１４ｃ，１４ｂの、インク放出部（図示外）に接続することができるインク供給通路１９ａ，２０ａ，２１ａ，２２ａが穿設されている。各インク供給通路１９ａ〜２２ａは底壁１８ａを貫通してヘッド保持部２８に開口しており、各記録ヘッド１９〜２２の各噴射ノズル群７ａ〜７ｈに対応したインク流路に接続されている。
【００４２】
また、図４に示すように、ヘッドホルダ１８の背壁１８ｂの外側面の左右両端部の中央の近傍には、円筒型ボス１８ｆ，１８ｇが形成されている。このボス１８ｆ，１８ｇを利用して図示外のビスにより回路基板２６を背壁１８ｂと間隔をおいて固定するようになっている。また、図４に示すように、ヘッドホルダ１８の背壁１８ｂの外周には、凸部１８ｊ、凸部１８ｋ、凸部１８ｍがそれぞれ形成されている。
【００４３】
尚、キャリッジ８には、図示外の配線基板が設けられ、当該配線基板は、プリンタの筐体２内に固定された本体側制御基板（図示外）にフレキシブル配線基板（図示外）を介して接続され、そして、配線基板の接続部（図示外）が、ヘッドホルダ１８に設けられた回路基板２６のコネクタ４１（図２参照）と接続されて、本体側制御基板からキャリッジ８の配線基板を介して回路基板２６に電源や信号が供給されるようになっている。
【００４４】
記録ヘッド１９〜２２は、前記特許文献２に記載のヘッドと同様の公知の構造のもので、噴射ノズル７ａ〜７ｈに連通した多数のインク室を有するキャビティプレートに、各インク室に対応した電極を有するプレート型の圧電アクチュエータを重ねた構造で、各電極への選択的な駆動信号の印加により、噴射ノズル７ａ〜７ｈからインクを液滴として噴射することができる。フレキシブル配線基板３１〜３４は、公知のものと同様に、可撓性を有する帯状絶縁体（一例として、ポリイミド樹脂）上に複数の導線が形成された構造で、圧電アクチュエータ上に各導線を電極と接続して固定されている。各フレキシブル配線基板３１〜３４のヒートシンク２７側とは反対側の面には、駆動素子としてＩＣチップ３５〜３８が搭載されている。ＩＣチップ３５〜３８は、本体側の制御回路からシリアル転送されてきた駆動波形信号を、圧電アクチュエータの各電極に対応したパラレル信号に変換しかつ所定の電圧値に変換して各電極に接続した導線に出力するものである。
【００４５】
次に、図３及び図４を参照して、回路基板２６の構造を説明する。回路基板２６は、ガラスエポキシ等の剛体製基板から構成され、回路基板２６上には、銅薄膜から構成された多数の配線及び、電解コンデンサ４３，４４と、コネクタ４１，４２等が設けられている。
【００４６】
次に、図４及び図６を参照して、ヒートシンク２７の構造を説明する。図６は、ヒートシンク２７の平面図である。図４及び図６に示すように、ヒートシンク２７は、放熱効率の高い金属であるアルミ板から形成され、平面視、略長方形で、その一部を屈曲させて、側面視「くの字」状に形成され、前記ＩＣチップ３５〜３８の当接部２７ｋが形成されている。また、図６に示すように、ヒートシンク２７の表面には、ヒートシンク２７の外側に固定される回路基板２６に半田付けされた電子部品の足や回路基板２６のヒートシンク２７側に設けられた電子部品との干渉を避けるために、凹部２７ａ，２７ｂ，２７ｃ，２７ｄが形成されている。また、凹部２７ｄの中央には、貫通孔２７ｅが形成されている。尚、この凹部２７ａ，２７ｂ，２７ｃは、開孔部としても良い。
【００４７】
さらに、図６に示すように、ヒートシンク２７の外周をなす各辺部には、切欠部２７ｇ、切欠部２７ｈ、切欠部２７ｆ、切欠部２７ｉ、切欠部２７ｊがそれぞれ形成されている。
【００４８】
次に、図２〜図４，図７及び図８を参照して、ヘッドホルダ１８への回路基板２６、ヒートシンク２７及び樹脂カバー２４の取り付けの詳細について説明する。図７は、図２に示すＡ−Ａ’線における矢視方向断面図であり、図８は、図２に示すＡ−Ａ’線における矢視方向断面のＩＣチップ３８近傍の拡大断面図である。図２〜図４，図７及び図８に示すように、ヘッドホルダ１８の背壁１８ｂ側へは、まず、ヒートシンク２７が固定される。このときに、ヒートシンク２７の貫通孔２７ｅ、切欠部２７ｆには、ボス１８ｆ、１８ｇが貫通し、切欠部２７ｇ，２７ｈ，２７ｉには、ヘッドホルダ１８の凸部１８ｊ，１８ｋ，１８ｍが各々嵌合する。そして、ヒートシンク２７は、凸部１８ｊ，１８ｋ，１８ｍの近傍に接着固定される。尚、図３に示すように、ヒートシンク２７の当接部２７ｋの外周部とヘッドホルダ１８の各壁との間には、隙間が形成され、ヒートシンク２７の当接部２７ｋの熱がヘッドホルダ１８に伝わらないようになっている。また、ヒートシンク２７とヘッドホルダ１８の背壁１８ｂの間にも所定距離（一例として、約３ｍｍ）の隙間が形成されている。従って、ヒートシンク２７から外側への放熱以外に、この隙間にも、ヒートシンク２７からの放熱が可能となっている。
【００４９】
次に、図３に示すように、ヘッドホルダ１８のヘッド保持部２８に記録ヘッド１９，２０，２１，２２が接着固定され、ヒートシンク２７の外側に沿って、回路基板２６がボス１８ｆ，１８ｇに図示外のネジを利用して固定される。このときに、フレキシブル配線基板３１〜３４は、ヒートシンク２７の当接部２７ｋ上に当接する。また、回路基板２６とヒートシンク２７の間には所定距離の隙間が形成される。次いで、図２に示すように、フレキシブル配線基板３１〜３４を破損から防止するために、フレキシブル配線基板３１〜３４上を覆うように、樹脂カバー２４がヘッドホルダ１８に接着固定される。尚、樹脂カバー２４の裏面には、図８に示すように、ＩＣチップ３５〜３８に当接して、当該ＩＣチップ３５〜３８を押圧する弾性部材であるスポンジ５０が接着されて設けられている。従って、樹脂カバー２４をヘッドホルダ１８に接着固定すると、弾性部材であるスポンジ５０が圧縮され、ＩＣチップ３５〜３８を押圧する。
【００５０】
従って、図８に示すように、樹脂カバー２４のスポンジ５０がＩＣチップ３５〜３８を各々押圧し、ＩＣチップ３５〜３８は、熱伝導の良い薄板の樹脂であるポリイミド樹脂からなるフレキシブル配線基板３１〜３４を介して、ヒートシンク２７の当接部２７ｋに押圧される。従って、記録ヘッド１９〜２２の駆動によりＩＣチップ３５〜３８で発生した熱はフレキシブル配線基板３１〜３４を介して、ヒートシンク２７の当接部２７ｋから従来のヒートシンクに比べて、広い面積及び大きな体積を有するヒートシンク２７全体に伝導され空気中に放熱される。
【００５１】
尚、図７及び図８に示すように、ヒートシンク２７とヘッドホルダ１８の背壁１８ｂとは、所定間隔（一例として、３ｍｍ）離間しており、また、ヒートシンク２７と回路基板２６との間も所定間隔（一例として、３ｍｍ）離間しており、ヒートシンク２７からの放熱が妨げられることがない。さらに、キャリッジ８の左右方向への移動に伴いヘッドホルダ１８も左右方向に移動することになるので、ヒートシンク２７と回路基板２６との隙間には、空気が流れ、ヒートシンク２７からの放熱効果を高めることができる。
【００５２】
以上説明したように、本実施の形態のインクジェットプリンタ１では、記録ヘッド１９〜２２に各々設けられたプレート型圧電アクチュエータを駆動するＩＣチップ３５〜３８から発生する熱を空気中に放熱するヒートシンク２７をヘッドホルダ１８の背壁１８ｂと回路基板２６の間に延設したので、ヒートシンク２７を従来のものに比べて、面積を広くでき、体積を大きくできるので、放熱効果を高めることができる。また、ヒートシンク２７の回路基板２６への対向面には、回路基板２６に半田付けされている電子部品の足等を避けるための凹部２７ａ，２７ｂ，２７ｃ，２７ｄが形成されているので、電子部品の足や回路基板２６のヒートシンク２７側の面に設けられている部品とヒートシンク２７とが接触することを防止できる。また、ヒートシンク２７は、ヘッドホルダ１８の背壁１８ｂ及び回路基板２６と各々所定間隔離間しているので、ヒートシンク２７からの放熱が妨げられることがない。
【００５３】
次に、図９を参照して、ヘッドホルダ１８の変形例について説明する。図９は、ヘッドホルダ１８の変形例を示す分解斜視図である。図９に示すヘッドホルダ１８の変形例の構造は、左側壁１８ｃ及び右側壁１８ｄに、後述する切欠部１８ｎ，１８ｐ，１８ｏ，１８ｑが新たに設けられた点以外は、図４に示すヘッドホルダ１８と同一の構成であるので、異なる点を以下に説明する。
【００５４】
図９に示すように、ヘッドホルダ１８には、左右一対の左側壁１８ｃ及び右側壁１８ｄが設けられているが、この左側壁１８ｃのヒートシンク２７側の端部１８ｃ１及び右側壁１８ｄのヒートシンク２７側の端部１８ｄ１は、背壁１８ｂの左右から各々直交して立ち上がった一対の側壁となっている。この左側壁１８ｃの端部１８ｃ１には、略矩形の切欠部１８ｎ，１８ｐが形成され、また、右側壁１８ｄの端部１８ｄ１には、略矩形の切欠部１８ｏ，１８ｑが形成されている。この切欠部１８ｎ，１８ｐ，１８ｏ，１８ｑを設けたことにより、背壁１８ｂの外側面とヒートシンク２７との間の空間内の空気が外部と流通し易くなって、この空間内の温度上昇を抑制できる。従って、この空間内へのヒートシンク２７からの放熱効果を高めることが可能となる。尚、図９に示す例では、切欠部は、左側壁１８ｃ及び右側壁１８ｄに各々２つずつ設けているが、各１つずつでも良い。
【００５５】
尚、本発明は、上記の実施の形態に限られず、各種の変形が可能である。例えば、本発明は、記録ヘッドにプレート型圧電アクチュエータを用いたプリンタに限られず、記録ヘッドを駆動する駆動素子を備えたものであれば、各種のプリンタに適用できる。また、記録ヘッドを駆動する駆動素子の数は、４つに限られず、２個、６個等の任意の数のものに適用できる。
【図面の簡単な説明】
【００５６】
【図１】図１は、インクジェットプリンタ１の内部構造を示す斜視図である。
【図２】図２は、記録ヘッドユニット１７を、その底部の背面側から見た斜視図である。
【図３】図３は、記録ヘッドユニット１７から樹脂カバー２４を取り去った状態を示す斜視図である。
【図４】図４は、記録ヘッドユニット１７の分解斜視図である。
【図５】図５は、ヘッドホルダ１８の斜視図である。
【図６】図６は、ヒートシンク２７の平面図である。
【図７】図７は、図２に示すＡ−Ａ’線における矢視方向断面図である。
【図８】図８は、図２に示すＡ−Ａ’線における矢視方向断面のＩＣチップ３８近傍の拡大断面図である。
【図９】図９は、ヘッドホルダ１８の変形例を示す分解斜視図である。
【符号の説明】
【００５７】
１          インクジェットプリンタ
２          筐体
７ａ〜７ｈ  噴射ノズル群
８          キャリッジ
１７        記録ヘッドユニット
１８          ヘッドホルダ
１８ａ        底壁
１８ｂ        背壁
１９〜２２    記録ヘッド
２４          樹脂カバー
２６          回路基板
２７          ヒートシンク
２７ａ〜２７ｄ  凹部
２７ｋ        当接部
２８          ヘッド保持部
３１〜３４    フレキシブル配線基板
３５〜３８    ＩＣチップ
１８ｎ〜１８ｑ  切欠部
【図１】
2004314608.tif 000003
【図２】
2004314608.tif 000004
【図３】
2004314608.tif 000005
【図４】
2004314608.tif 000006
【図５】
2004314608.tif 000007
【図６】
2004314608.tif 000008
【図７】
2004314608.tif 000009
【図８】
2004314608.tif 000010
【図９】
2004314608.tif 000011